(57)【要約】【課題】各種の小物を収納し、かつ、アウターバッグの内部に収容された状態のまま、前記小物を出し入れして便利に使用することが可能なインナーケースを提供すること。【解決手段】この考案のインナーケースは、アウターバッグの内部に収容されるインナーケースであって、折り曲げ部２を介して２つ折り状となる第１部３と第２部４を有する開閉可能なものとし、内面に小物保持部５を設けており、さらに、アウターバッグの内側の取り付け面に開いた状態で取り付けるための係止具７を設け、前記取り付け面に取り付けた状態のまま、小物保持部５に小物を出し入れできるようにしたものとしている。【選択図】図２
0003134329.tif 000002
【実用新案登録請求の範囲】
【請求項１】
アウターバッグ（１）の内部に収容されるインナーケースであって、折り曲げ部（２）を介して２つ折り状となる第１部（３）と第２部（４）を有する開閉可能なものとし、内面に小物保持部（５）を設けており、さらに、アウターバッグ（１）の内側の取り付け面（６）に開いた状態で取り付けるための係止具（７）を設け、前記取り付け面（６）に取り付けた状態のまま、小物保持部（５）に小物を出し入れできるようにしていることを特徴とするインナーケース。
【請求項２】
アウターバッグ（１）の内部に収容されるインナーケースであって、折り曲げ部（２）を介して２つ折り状となる第１部（３）と第２部（４）を有する開閉可能なものとし、内面に小物保持部（５）を設けており、さらに、アウターバッグ（１）の内側の取り付け面（６）に開いた状態で取り付けるための係止具（７）を設け、前記取り付け面（６）に取り付けた状態のまま、小物保持部（５）に小物を出し入れできるようにしており、前記折り曲げ部（２）を介して左右に第１部（３）、第２部（４）が位置し、第１部（３）及び第２部（４）の上部外端付近にそれぞれ係止具（７）を設けていることを特徴とするインナーケース。
【請求項３】
係止具（７）をアイレットとしている請求項１又は２記載のインナーケース。
【考案の詳細な説明】
【技術分野】
【０００１】
この考案は、アウターバッグの内部に収容されるようにした、各種の小物を収納するためのインナーケースに関するものである。
【背景技術】
【０００２】
従来、アウターバッグの内部に収容されるようにしたインナーケースとしては、特許文献１に記載のような、矩形状の袋体を主体とするものがあった。
【０００３】
しかし、この従来のインナーケースは、もっぱら袋体内にノート型パーソナルコンピュータ等の携帯情報処理装置を収納するためだけのものであり、各種の小物（例えば携帯電話、筆記具、お金、各種のカード等）を収納し、かつ、アウターバッグの内部に収容された状態のまま、前記小物を出し入れして便利に使用できるようなものではなかった。
【特許文献１】特開平２００３−１０２５２９号公報
【考案の開示】
【考案が解決しようとする課題】
【０００４】
そこで、この考案は、各種の小物を収納し、かつ、アウターバッグの内部に収容された状態のまま、前記小物を出し入れして便利に使用することが可能なインナーケースを提供することを課題とする。
【課題を解決するための手段】
【０００５】
この考案のインナーケースは、アウターバッグ１の内部に収容されるインナーケースであって、折り曲げ部２を介して２つ折り状となる第１部３と第２部４を有する開閉可能なものとし、内面に小物保持部５を設けており、さらに、アウターバッグ１の内側の取り付け面６に開いた状態で取り付けるための係止具７を設け、前記取り付け面６に取り付けた状態のまま、小物保持部５に小物を出し入れできるようにしたものとしている。
【０００６】
また、前記折り曲げ部２を介して左右に第１部３、第２部４が位置し、第１部３及び第２部４の上部外端付近にそれぞれ係止具７を設けたものとすることができる。
【０００７】
さらに、係止具７は、アイレットとすることができる。
【考案の効果】
【０００８】
この考案のインナーケースは、上述のような構成を有しており、各種の小物を収納し、かつ、アウターバッグ１の内部に収容された状態のまま、前記小物を出し入れして便利に使用することが可能となっている。
【０００９】
また、前記折り曲げ部２を介して左側に第１部３、右側に第２部４が位置し、第１部３及び第２部４の上部外端付近にそれぞれ係止具７を設けたものとすれば、インナーケースはアウターバッグ１の内側の取り付け面６において、第１部３と第２部４が完全に開き、前記係止具７によりぶら下がって取り付けられた状態となり、容易に小物保持部５に小物を出し入れすることができる
さらに、係止具７をアイレットとすれば、インナーケースは、内側の取り付け面６に前記係止具７に嵌入する留め具を設けたアウターバッグ１との着脱を容易に行うことができる。
【考案を実施するための最良の形態】
【００１０】
以下、この考案の好適な実施形態を、図面を参照して説明する。
【００１１】
図１はこの考案の実施形態のインナーケースの斜視図、図２はインナーケースを開いた状態の斜視図、図３はインナーケースをアウターバッグ１の内側の取り付け面６に取り付けた場合の上方からの斜視図、図４はアウターバッグ１の内側の取り付け面６におけるインナーケースが取り付けられる部分の正面図である。
【００１２】
このインナーケースは、アウターバッグ１の内部に収容されるインナーケースであって、折り曲げ部２を介して２つ折り状となる第１部３と第２部４を有する開閉可能なものとし、内面に小物保持部５を設けており、さらに、アウターバッグ１の内側の取り付け面６に開いた状態で取り付けるための係止具７を設け、前記取り付け面６に取り付けた状態のまま、小物保持部５に小物を出し入れできるようにしたものである。
【００１３】
インナーケースは、２つ折りにできるようにした横長の長方形のシート状の本体の周縁にファスナー８を設けたものとしている。本体は、布、皮革、合成樹脂等、適宜の素材からなるものとすることができる。図２において、本体の上端中央付近から下端中央付近は折り曲げ部２となっており、その左側を第１部３、右側を第２部４としている。
【００１４】
図２に示したように、ファスナー８は、インナーケースの本体の内面側において、一方側のエレメント８aが本体の上端中央付近から左上角部、左下角部、そして下端中央付近に至るように設けられており、他方側のエレメント８ｂが、前記一方側のエレメント８ａと対称に設けられている。スライダー８ｃにより両側のエレメント８ａ，８ｂを噛み合わせ、ファスナー８を閉じると、図１に示したような、第１部３と第２部４が２つ折り状になって閉じた状態となる。
【００１５】
なお、ファスナー８の代わりに、ホックや、ベルトとベルトループのような留め具を第１部３と第２部４に設けることにより、インナーケースを開閉できるようにしてもよい。
【００１６】
インナーケースの内面には、第１部３、第２部４にそれぞれ各種の大きさ、形状の小物保持部５が設けられている。この実施形態では、第１部３の小物保持部５として小銭入れ等を設け、第２部４の小物保持部５として、クレジットカード等のカード入れや、ペンを差し込めるようにしたペン保持具を設けたものとしている。小物保持部５は、袋状や差込式、その他適宜の構成とすることができる。
【００１７】
さらに、第１部３、第２部４には、アウターバッグ１の内側の取り付け面６に開いた状態で取り付けるための係止具７を設けている。係止具７は、金属製等の円形の板の中央に小孔を設けてなるアイレットとしている。係止具７は、第１部３及び第２部４の上部外端付近、すなわち、図２中、第１部３の左上角部、第２部４の右上角部に設けている。
【００１８】
このインナーケースは、前記係止具７を利用して、図３に示したようにアウターバッグ１の内側の取り付け面６に取り付けられる。アウターバッグ１は、インナーケースを収容することが可能な大きさのバッグであり、その構成、形態は図示したようなものに限定されず、様々な種類のバッグをアウターバッグ１として利用することができる。
【００１９】
前記取り付け面６は、アウターバッグ１を構成する生地の、アウターバッグ１の内部において露出する面であり、インナーケースが取り付けられる部分は、図４に示したように、インナーケースの係止具７と係合するアウターバッグ側係止具９を備えたものとしている。
【００２０】
アウターバッグ側係止具９は、インナーケースの係止具７（アイレット）の孔に嵌入する凸状の金属製等の留め具であり、図４に示したアウターバッグ１の内部ファスナー取り付け片１０に設けられたものとすることができる。この内部ファスナー取り付け片１０は、アウターバッグ１の内部に設けられた収納部を開閉するためのファスナー１１を設けた皮革等からなる横長の帯状のものであり、中央に前記ファスナー１１が設けられ、左右両端部が下方に突出した形状となっており、この突出した左右両端部にアウターバッグ側係止具９を設けている。
【００２１】
左右のアウターバッグ側係止具９の間隔は、前記開いた状態のインナーケースの左右の係止具７の間隔と同一であり、インナーケースとアウターバッグ１の互いの係止具７，９を係合させると、インナーケースは前記取り付け面６において、第１部３と第２部４が、その内面側が露出した状態で完全に開き、前記係止具７によりぶら下がった状態となる。そして、この状態のまま、使用者は小物保持部５に小物を出し入れすることができる。
【００２２】
このように、インナーケースは、開いた状態でアウターバッグ１の内部に取り付けられるため、インナーケースの内装機能（前記小物保持部５）を、そのままアウターバッグ１の内装機能として利用することができる。
【００２３】
また、アウターバッグ１に、携帯電話、筆記具、お金、各種のカード等の個々の小物をいちいち個別に出し入れする必要がなく、小物をまとめてインナーケースに保持させることができる。そしてインナーケースをアウターバッグ１から取り外して、そのまま携行することができるので、極めて便利に使用することができる。
【００２４】
なお、このインナーケースは、複数のタイプのアウターバッグ１に装着させられるようにすることができる。各アウターバッグ１は、インナーケースの係止具７に対応した共通のアウターバッグ側係止具９を備えたものとする。例えば、アウターバッグ１として、ボストンバッグやビジネスバッグを選択して使用することが可能である。
【００２５】
この場合、インナーケースには、使用者の日常生活や業務において必需品と言えるような、常に携帯することが望まれる小物を保持させておけば、いかなるタイプのアウターバッグ１を使用するときも、必要な小物を持ち忘れることなく携行することができるようになる。
【００２６】
また、アウターバッグ１を、時、場所、あるいはそのときの気分に合わせて、様々なデザインのバッグから選択して使用することもできる。
【００２７】
以上がこの考案の好適な実施形態であるが、この考案は上述の実施形態の構成に限定されるものではなく、素材、形状、寸法等を適宜変更して実施することができる。
【図面の簡単な説明】
【００２８】
【図１】この考案の実施形態のインナーケースの斜視図である。
【図２】この考案の実施形態のインナーケースを開いた状態の斜視図である。
【図３】この考案の実施形態のインナーケースをアウターバッグの内側の取り付け面に取り付けた場合の上方からの斜視図である。
【図４】アウターバッグの内側の取り付け面におけるインナーケースが取り付けられる部分の正面図である。
【符号の説明】
【００２９】
１  アウターバッグ
２  折り曲げ部
３  第１部
４  第２部
５  小物保持部
６  取り付け面
７  係止具
【図１】
0003134329.tif 000003
【図２】
0003134329.tif 000004
【図３】
0003134329.tif 000005
【図４】
0003134329.tif 000006